(57)【要約】【課題】      異なるメールを異なる送信先に簡単に送信することができるメール送信装置を提供する。【解決手段】  メール管理装置２０は、端末装置１０から送信された、第１の本文情報、第２の本文情報、第１のメールアドレス情報、第２のメールアドレス情報に基づいて、受信した第１の本文情報を含むメールを、受信した第１のメールアドレス情報で示される第１のメールアドレス宛のみに送信し、受信した第２の本文情報を含むメールを、受信した第２のメールアドレス情報で示される第２のメールアドレス宛のみに送信する。【選択図】    図５
2005339182.tif 000002
【特許請求の範囲】
【請求項１】
端末装置とメール管理装置とを備え、
前記端末装置は、少なくとも、
第１の本文情報、第２の本文情報、第１の本文情報を含むメールを送信する第１のメールアドレスを示す第１のメールアドレス情報、第２の本文情報を含むメールを送信する第２のメールアドレスを示す第２のメールアドレス情報を入力可能な端末側入力手段と、
前記端末側入力手段で入力された、第１の本文情報、第２の本文情報、第１のメールアドレス情報、第２のメールアドレス情報をメール管理装置に送信可能な端末側処理手段を有し、
前記メール管理装置は、
前記端末装置から送信された、第１の本文情報、第２の本文情報、第１のメールアドレス情報、第２のメールアドレス情報を受信可能な管理側受信手段と、
前記管理側受信手段で受信した、第１の本文情報、第２の本文情報、第１のメールアドレス情報、第２のメールアドレス情報に基づいて、前記受信した第１の本文情報を含むメールを前記受信した第１のメールアドレス情報で示される第１のメールアドレス宛のみに送信し、前記受信した第２の本文情報を含むメールを前記受信した第２のメールアドレス情報で示される第２のメールアドレス宛のみに送信する管理側処理手段を有する、
メール送信装置。
【請求項２】
請求項１に記載のメール送信装置であって、
前記第１のメールアドレスが設定されている第１の受信端末表示装置、前記第２のメールアドレスが設定されている第２の受信端末表示装置を備え、
前記管理側処理手段は、第１の本文情報と、第１及び第２のメールアドレス情報を含むメールを第１のメールアドレス宛に送信し、第２の本文情報と、第１及び第２のメールアドレス情報を含むメールを第２のメールアドレス宛に送信し、
前記第１の受信端末表示装置は、
前記メール管理装置から送信された、第１の本文情報と、第１及び第２のメールアドレス情報を含み、自己に設定されているメールアドレス宛のメールを受信する第１端末側受信手段と、
前記第１端末側受信手段で受信したメールに含まれる、第１の本文情報で示される第１の本文と、第１及び第２のメールアドレス情報で示される第１及び第２のメールアドレスを表示手段に表示可能な第１端末側処理手段を有し、
前記第２の受信端末表示装置は、
前記メール管理装置から送信された、第２の本文情報と、第１及び第２のメールアドレス情報を含み、自己に設定されているメールアドレス宛のメールを受信する第２端末側受信手段と、
前記第２端末側受信手段で受信したメールに含まれる、第２の本文情報で示される第２の本文と、第１及び第２のメールアドレス情報で示される第１及び第２のメールアドレスを表示手段に表示可能な第２端末側処理手段を有する、
メール送信装置。
【請求項３】
端末装置とメール管理装置とを備え、
前記端末装置は、少なくとも、
第１の本文情報、第２の本文情報、第１の本文情報を含むメールを送信する第１のメールアドレスを示す第１のメールアドレス情報、第１の本文情報及び第２の本文情報を含むメールを送信する第２のメールアドレスを示す第２のメールアドレス情報を入力可能な端末側入力手段と、
前記端末側入力手段で入力された、第１の本文情報、第２の本文情報、第１のメールアドレス情報、第２のメールアドレス情報をメール管理装置に送信可能な端末側処理手段を有し、
前記メール管理装置は、
前記端末装置から送信された、第１の本文情報、第２の本文情報、第１のメールアドレス情報、第２のメールアドレス情報を受信可能な管理側受信手段と、
前記管理側受信手段で受信した、第１の本文情報、第２の本文情報、第１のメールアドレス情報、第２のメールアドレス情報に基づいて、前記受信した第１の本文情報を含むメールを前記受信した第１のメールアドレス情報で示される第１のメールアドレス宛のみに送信し、前記受信した第１の本文情報及び第２の本文情報を含むメールを前記受信した第２のメールアドレス情報で示される第２のメールアドレス宛のみに送信する管理側処理手段を有する、
メール送信装置。
【請求項４】
請求項３に記載のメール送信装置であって、
前記第１のメールアドレスが設定されている第１の受信端末表示装置、前記第２のメールアドレスが設定されている第２の受信端末表示装置を備え、
前記管理側処理手段は、第１の本文情報を含むメールを第１のメールアドレス宛に送信し、第１及び第２の本文情報と、第１及び第２のメールアドレス情報を含むメールを第２のメールアドレス宛に送信し、
前記第１の受信端末表示装置は、
前記メール管理装置から送信された、第１の本文情報を含み、自己に設定されているメールアドレス宛のメールを受信する第１端末側受信手段と、
前記第１端末側受信手段で受信したメールに含まれる、第１の本文情報で示される第１の本文を表示手段に表示可能な第１端末側処理手段を有し、
前記第２の受信端末表示装置は、
前記メール管理装置から送信された、第１及び第２の本文情報と、第１及び第２のメールアドレス情報を含み、自己に設定されているメールアドレス宛のメールを受信する第２端末側受信手段と、
前記第２端末側受信手段で受信したメールに含まれる、第１及び第２の本文情報で示される第１及び第２の本文と、第１及び第２のメールアドレス情報で示される第１及び第２のメールアドレスを表示手段に表示可能な第２端末側処理手段を有する、
メール送信装置。
【発明の詳細な説明】
【技術分野】
【０００１】
本発明は、メールを送信する技術に関する。
【背景技術】
【０００２】
一般的に、パソコン（ＰＣ）や携帯電話等の端末装置を用いて複数の送信先にメールを送信する場合、送信者は、メールの本文（添付ファイルを添付する場合には、メールの本文と添付ファイル）を入力するとともに、メールを送信する複数の送信先の送信先識別情報（メールアドレスや電話番号等）を指定して送信キーを操作する（同報メールと称呼されている。）。
これにより、送信者は、１回の入力操作で、同じメールの本文（あるいは、同じメールの本文と同じ添付ファイル）を複数の送信先に送信することができる。（特許文献１参照）
【特許文献１】特開２００２−３００２１６号公報
【発明の開示】
【発明が解決しようとする課題】
【０００３】
従来の同報メールの送信技術は、同じメールを複数の送信先に送信するものである。このため、異なるメールを複数の送信先に送信する場合（例えば、メールの本文が一部あるいは全部異なるメールを異なる送信先に送信する場合等）には、送信者は、異なるメール毎に入力操作（例えば、メールの本文の入力操作）を行う必要があり、面倒である。
そこで、本発明が解決しようとする課題は、異なるメールを異なる送信先に簡単に送信をすることができるメール送信装置を提供することである。
【課題を解決するための手段】
【０００４】
上記課題を達成するため、各請求項記載の発明が構成される。
（請求項１に記載の発明）
請求項１に記載の発明によれば、端末装置と、メール管理装置とを備えるメール送信装置が構成される。
端末装置は、端末側入力手段と、端末側処理手段とを有している。
この端末側入力手段は、少なくとも、第１の本文情報、第２の本文情報、第１の本文情報を含むメールを送信する第１のメールアドレスを示す第１のメールアドレス情報、第２の本文情報を含むメールを送信する第２のメールアドレスを示す第２のメールアドレス情報を入力可能に構成されている。
また、端末側処理手段は、端末側入力手段で入力された、第１の本文情報、第２の本文情報、第１のメールアドレス情報、第２のメールアドレス情報をメール管理装置に送信する。
メール管理装置は、管理側受信手段と、管理側処理手段とを有している。
この管理側受信手段は、端末装置から送信され、第１の本文情報、第２の本文情報、第１のメールアドレス情報、第２のメールアドレス情報を受信可能に構成されている。
また、管理側処理手段は、管理側受信手段で受信した、第１の本文情報、第２の本文情報、第１のメールアドレス情報、第２のメールアドレス情報に基づいて、受信した第１の本文情報を含むメールを受信した第１のメールアドレス情報で示される第１のメールアドレス宛のみに送信し、受信した第２の本文情報を含むメールを受信した第２のメールアドレス情報で示される第２のメールアドレス宛のみに送信する。
【０００５】
「端末装置」は、少なくとも、本文情報やメールアドレス情報等のメール情報を入力可能であり、なおかつメール管理装置に上記メール情報を送信可能であればよく、典型的には、携帯電話機、携帯端末、パソコン等の端末装置を用いることができる。
「第１の本文情報」と「第２の本文情報」は、メールに含まれる本文の内容を示す情報であり、それぞれ、内容の一部あるいは全部が異なる本文を示している。
「メールアドレス情報」は、メールの送信先を示す情報（送信先識別情報）を意味し、典型的にはメールアドレスや電話番号等が用いられる。
また、「メールアドレス情報」は、端末装置を用いて、例えば、端末装置のユーザにより入力される。メールアドレス情報は、予め端末装置に記憶されているメールアドレス情報の中から選択されてもよいし、端末装置にキーボード等の入力手段が設けられている場合には、この入力手段を用いてメールアドレス等が直接入力されてもよい。
また、本発明のメール送信装置は、３種類以上の本文情報を用いる場合、また、３種類以上のメールアドレス情報を用いる場合にも適用可能である。
また、第１のメールアドレス情報や第２のメールアドレス情報としては、複数の第１のメールアドレス情報や複数の第２のメールアドレス情報を用いることができる。
なお、第１のメールアドレスあるいは第２のメールアドレス宛のメールを受信する受信端末表示装置としては、自己に設定されているメールアドレス宛のメールを受信する端末側受信手段と、端末側受信手段で受信したメールに含まれている情報（第１の本文情報あるいは第２の本文情報）を表示手段に表示可能な端末側処理手段を備える、通常の受信端末表示装置を用いることができる。
本発明のメール送信装置によれば、送信者は、メール情報入力時に、異なる本文情報と異なるメールアドレスを入力するだけで、異なる本文情報を含むメールを異なる送信先に同時に送信することができる、これにより、送信者は、異なる本文情報を含むメール毎にメール情報の入力操作を行う必要がなくなり、メール情報の入力操作が容易となる。
【０００６】
（請求項２に記載の発明）
請求項２に記載の発明によれば、請求項１に記載のメール送信装置に、さらに、第１のメールアドレスが設定されている第１の受信端末表示装置、第２のメールアドレスが設定されている第２の受信端末表示装置を備えている。
そして、管理側処理手段は、第１の本文情報と、第１及び第２のメールアドレス情報を含むメールを第１のメールアドレス宛に送信し、第２の本文情報と、第１及び第２のメールアドレス情報を含むメールを第２のメールアドレス宛に送信する。
第１の受信端末表示装置は、第１端末側受信手段、第１端末側処理手段を有している。
第１端末側受信手段は、メール管理装置から送信された、第１の本文情報と、第１及び第２のメールアドレス情報を含むメールを受信する。
また、第１端末側処理手段は、第１端末側受信手段で受信したメールに含まれる、第１の本文情報で示される第１の本文と、第１及び第２のメールアドレス情報で示される第１及び第２のメールアドレスを表示手段に表示可能に構成されている。
第２の受信端末表示装置は、第２端末側受信手段、第２端末側処理手段を有している。
第２端末側受信手段は、メール管理装置から送信された、第２の本文情報と、第１及び第２のメールアドレス情報を含むメールを受信する。
また、第２端末側処理手段は、第２端末側受信手段で受信したメールに含まれる、第２の本文情報で示される第２の本文と、第１及び第２のメールアドレス情報で示される第１及び第２のメールアドレスを表示手段に表示可能に構成されている。
【０００７】
管理側処理手段が、第１のメールアドレス情報及び第２のメールアドレス情報を含むメールを送信する方法としては種々の方法を用いることができる。例えば、メールのヘッダに、当該メールを送信する複数の送信先のメールアドレスを示すメールアドレス情報を含ませる方法を用いることができる。この場合、受信端末表示装置は、受信したメールのヘッダに挿入されているメールアドレス情報に基づいて、当該メールが送信されたメールアドレス（自己に設定されているメールアドレスを含む）を表示手段に表示することができる。あるいは、メールアドレス情報を含む付加本文情報を作成し、付加本文情報を本文情報に付加する方法を用いることができる。この場合、受信端末表示装置は、メールのヘッダに挿入されているメールアドレス情報で示されるメールアドレスは表示手段に表示可能であるため、メールのヘッダに含まれていないメールアドレスを示すメールアドレス情報を含む付加本文情報を作成すればよい。勿論、全てのメールアドレス情報を含む付加本文情報を作成してもよい。
また、第１端末側処理手段あるいは第２端末側処理手段が、受信した第１のメールアドレス情報や第２のメールアドレス情報で示される第１のメールアドレスや第２のメールアドレスを表示手段に表示する態様としては、全てのメールアドレスを表示する態様や一部のメールアドレスを表示する態様を用いることができ、また、本文情報とともに表示手段に表示する態様や、所定の操作が行われた時に表示手段に表示する態様等を用いることができる。
本発明のメール送信装置によれば、各受信端末表示装置に、各本文情報が送信されたメールアドレスを表示させることができる。これにより、メールの受信者は、例えば、第１の本文情報と第２の本文情報が同じ事項に関するものである場合、当該事項に関するメールを受信した他の受信者を知ることができ、受信者間のコミュニケーションの向上を図ることができる。
【０００８】
（請求項３に記載の発明）
請求項３に記載の発明によれば、端末装置と、メール管理装置とを備えるメール送信装置が構成される。
端末装置は、端末側入力手段と、端末側処理手段とを有している。
この端末側入力手段は、少なくとも、第１の本文情報、第２の本文情報、第１の本文情報を含むメールを送信する第１のメールアドレスを示す第１のメールアドレス情報、第１の本文情報及び第２の本文情報を含むメールを送信する第２のメールアドレスを示す第２のメールアドレス情報を入力可能に構成されている。
また、端末側処理手段は、端末側入力手段で入力された、第１の本文情報、第２の本文情報、第１のメールアドレス情報、第２のメールアドレス情報をメール管理装置に送信する。
メール管理装置は、管理側受信手段と、管理側処理手段とを有している。
この管理側受信手段は、端末装置から送信された、第１の本文情報、第２の本文情報、第１のメールアドレス情報、第２のメールアドレス情報を受信可能に構成されている。
また、管理側処理手段は、管理側受信手段で受信した、第１の本文情報、第２の本文情報、第１のメールアドレス情報、第２のメールアドレス情報に基づいて、受信した第１の本文情報を含むメールを受信した第１のメールアドレス情報で示される第１のメールアドレス宛のみに送信し、受信した第１の本文情報及び第２の本文情報を含むメールを受信した第２のメールアドレス情報で示される第２のメールアドレス宛のみに送信する。
また、本発明のメール送信装置は、３種類以上の本文情報を用いる場合、また、３種類以上のメールアドレス情報を用いる場合にも適用可能である。
また、第１のアドレス情報や第２のアドレス情報としては、複数の第１のアドレス情報や複数の第２のアドレス情報を用いることができる。
なお、第１のメールアドレスあるいは第２のメールアドレス宛のメールを受信する受信端末表示装置としては、自己に設定されているメールアドレス宛のメールを受信する端末側受信手段と、端末側受信手段で受信したメールに含まれている情報（第１の本文情報あるいは第２の本文情報）を表示手段に表示可能な端末側処理手段を備える、通常の受信端末表示装置を用いることができる。
本発明のメール送信装置によれば、端末装置を用いて入力した異なる本文情報を含むメールを、異なる送信先に同時に送信することができる。これにより、送信者は、異なる本文情報を含むメール毎にメール情報の入力操作を行う必要がなくなり、メール情報の入力操作が容易となる。また、この際、複数の本文情報を合わせて送信先に送信することができる。
【０００９】
（請求項４に記載の発明）
請求項４に記載の発明によれば、請求項３に記載のメール送信装置に、さらに、第１のメールアドレスが設定されている第１の受信端末表示装置、第２のメールアドレスが設定されている第２の受信端末表示装置を備えている。
そして、管理側処理手段は、第１の本文情報を含むメールを第１のメールアドレス宛に送信し、第１及び第２の本文情報と、第１及び第２のメールアドレス情報を含むメールを第２のメールアドレス宛に送信する。
第１の受信端末表示装置は、第１端末側受信手段、第１端末側処理手段を有している。
第１端末側受信手段は、メール管理装置から送信された、第１の本文情報を含むメールを受信する。
また、第１端末側処理手段は、第１端末側受信手段で受信したメールに含まれる、第１の本文情報で示される第１の本文を表示手段に表示可能に構成されている。
第２の受信端末表示装置は、第２端末側受信手段、第２端末側処理手段を有している。
第２端末側受信手段は、メール管理装置から送信された、第１及び第２の本文情報と、第１及び第２のメールアドレス情報を含むメールを受信する。
また、第２端末側処理手段は、第２端末側受信手段で受信したメールに含まれる、第１及び第２の本文情報で示される第１及び第２の本文と、第１及び第２のメールアドレス情報で示される第１及び第２のメールアドレスを表示手段に表示可能に構成されている。
【００１０】
管理側処理手段が、第１のメールアドレス情報及び第２のメールアドレス情報を含むメールを送信する方法としては前述した方法や、第２端末側処理手段が、第１のメールアドレスや第２のメールアドレスを表示手段に表示する態様としては、前述した方法を用いることができる。
本発明のメール送信装置によれば、第２の受信端末表示装置に、各本文情報が送信されたメールアドレスを表示させることができる。これにより、メールの受信者は、例えば、第１の本文情報と第２の本文情報が同じ事項に関するものである場合、当該事項に関するメールを受信した他の受信者を知ることができ、受信者間のコミュニケーションの向上を図ることができる。
【発明の効果】
【００１１】
本発明によれば、簡単な入力操作で、異なるメールを異なる送信先に送信をすることができるメール送信装置が提供されることとなった。
【発明を実施するための最良の形態】
【００１２】
（第１の実施の形態）
以下に、本発明を実施する最良の形態の一例につき、図１〜図４を参照しつつ説明する。本実施の形態では、ユーザは、端末装置（例えば、携帯電話機やパソコン等）から、メールの本文を示す本文情報、付加本文（添付ファイルを添付したメールを送信する場合に、メールの本文に付加する）を示す付加本文情報、添付ファイル情報、添付ファイル情報を添付したメールを送信する送信先のメールアドレスを示すメールアドレス情報（「第１のメールアドレス」を示す「第１のメールアドレス情報」と称呼する。）、添付ファイルを添付しないメールを送信する送信先のメールアドレスを示すメールアドレス情報（「第２のメールアドレス」を示す「第２のメールアドレス情報」と称呼する。）（以上、纏めて「メール情報」と称呼する。）を入力し、メール管理装置に送信する。メール管理装置では、端末装置からメール情報を受信し、本文情報及び付加本文情報及び添付ファイル情報を、第１のメールアドレスに送信する。また、本文情報のみを、第２のメールアドレスに送信する。
本実施の形態の概略構成図を図１に示す。また、端末装置でメール情報を入力するためのメール情報入力画面の一例を図２に示す。また、図２に示したメール情報入力画面で入力された本文情報、付加本文情報及び添付ファイル情報を受信した端末装置、本文情報を受信した端末装置の表示手段に表示されるメール受信画面の例を、図３、図４に示す。
【００１３】
図１に示すように、本実施の形態のメール送信装置１には、端末装置１０、３０、４０、メール管理装置２０が設けられている。端末装置１０、３０、４０、メール管理装置２０等は、インターネット等の通信回線５０により接続されている。
なお、端末装置１０、３０、４０、メール管理装置２０との間の通信は、図１に示した通信経路以外にも種々の通信経路を介して実行可能である。
なお、端末装置１０にはメールアドレス「３３３＠ｘｘ．ｎｅ．ｊｐ」が、端末装置３０にはメールアドレス「１１１＠ｘｘ．ｎｅ．ｊｐ」が、端末装置４０にはメールアドレス「２２２＠ｘｘ．ｎｅ．ｊｐ」が設定されている。
通常、パソコンや携帯電話機等の端末装置１０、３０、４０は、メールを送信する端末装置及びメールを受信する端末装置として用いることができるが、以下では、端末装置１０を、メールを送信する端末装置として用い、端末装置３０、４０を、メールを受信する端末装置として用いた場合について説明する。
【００１４】
端末装置１０は、端末側入力手段１０ａ、端末側処理手段１０ｂ等を備えている。端末側処理手段１０ｂには、メール情報等を送信する端末側送信手段が含まれている。
端末側入力手段１０ａにより、本文情報、付加本文情報、添付ファイル情報、第１のメールアドレス情報、第２のメールアドレス情報等のメール情報が入力される。
端末側処理手段１０ｂは、端末側入力手段１０ａで入力されたメール情報を、通信回線５０を介してメール管理装置２０に送信する処理を実行する。
メール管理装置２０は、管理側受信手段２０ａ、管理側処理手段２０ｂ等を備えている。管理側処理手段２０ｂには、メールを送信する管理側送信手段が含まれている。
管理側受信手段２０ａは、端末装置１０から送信されたメール情報を受信する。
管理側処理手段２０ｂは、管理側受信手段２０ａで受信したメール情報に基づいて、メールの送信処理を実行する。本実施の形態では、メール情報に含まれている本文情報と付加本文情報及び添付ファイル情報を含むメールをメール情報に含まれている第１のメールアドレス情報で示される第１のメールアドレス宛に送信し、また、メール情報に含まれている本文情報を含むメールをメール情報に含まれている第２のメールアドレス情報で示されている第２のメールアドレス宛に送信する。
【００１５】
次に、本実施の形態の動作を説明する。なお、以下では、メールを送信する端末装置１０が、キーボードやマウス等の入力手段、液晶表示器等の表示手段を備えたパソコンである場合について説明する。
送信者が端末装置１０を用いてメール情報を入力する場合、端末装置１０の表示手段には、図２に示すメール情報入力画面１００が表示される。メール情報入力画面１００は、メール管理装置２０から受信して表示手段に表示させてもよいし、端末装置１０の記憶手段から読み出して表示手段に表示させてもよい。メール管理装置２０から受信する場合には、例えば、送信者が、端末装置１０の入力手段を用いてメール情報入力要求信号を入力すると、端末装置１０からメール管理装置２０にメール情報入力画面情報送信要求信号が送信される。メール管理装置２０は、メール情報入力画面情報送信要求信号を受信すると、メール情報入力画面情報を、メール情報入力画面情報送信要求信号を送信した端末装置１０に送信する。端末装置１０は、受信したメール情報入力画面情報で示されるメール情報入力画面を表示手段に表示する。
図２に示すメール情報入力画面１００には、第１のメールアドレスを入力する第１メールアドレス入力欄（第１のメールアドレス入力部）１１０、第２のメールアドレスを入力する第２メールアドレス入力欄（第２のメールアドレス入力部）１２０、本文入力欄（本文入力部）１３０、付加本文入力欄（付加本文入力部）１４０、添付ファイル表示欄（添付ファイル表示部）１５０が設けられている。
第１メールアドレス入力欄１１０には、メールの宛先を入力する宛先入力欄（送信先入力部）１１１、メールの控えの宛先を入力する宛先入力欄１１２、１１３が設けられている。また、第２メールアドレス入力欄１２０にも同様に、メールの宛先を入力する宛先入力欄（送信先入力部）１２１、メールの控えの宛先を入力する宛先入力欄１２２、１２３が設けられている。
【００１６】
送信者は、まず、マウス等を用いて宛先入力欄１１１にカーソルを移動し、キーボードを用いて第１のメールアドレス、例えば、図２に示す「１１１＠ｘｘ．ｎｅ．ｊｐ」を入力する。次に、宛先入力欄１２１にカーソルを移動し、第２のメールアドレス、例えば、図２に示す「２２２＠ｘｘ．ｎｅ．ｊｐ」を入力する。
第１及び第２のメールアドレスは、複数入力可能である。
【００１７】
次に、送信者は、本文入力欄１３０にカーソルを移動し、宛先入力欄１１１及び宛先入力欄１２１に入力した第１及び第２のメールアドレスに送信する本文情報を入力する。また、付加本文入力欄１４０にカーソルを移動し、宛先入力欄１１１に入力した第１のメールアドレスに送信する付加本文情報を入力する。
また、第１のメールアドレスに送信する添付ファイル情報の入力（記憶手段からの読み出しを含む）を行う。これにより、当該添付ファイルの概要が添付ファイル表示欄１５０に表示される。
そして、送信者は、メール情報入力画面１００に入力した内容を確認し、送信操作を行う。これにより、端末装置１０は、入力されたメール情報をメール管理装置２０に送信する。この時、メール管理装置２０が、第１のメールアドレス情報と第２のメールアドレス情報、本文情報と付加本文情報を判別可能に送信する。例えば、第１のメールアドレス情報あるいは第２のメールアドレス情報に、第１のメールアドレス情報あるいは第２のメールアドレス情報を示す識別情報を付加し、本文情報あるいは付加本文情報に、本文情報あるいは付加本文情報を示す識別情報を付加する。
【００１８】
メール管理装置２０は、端末装置１０から送信されたメール情報を受信すると、受信したメール情報に基づいてメールを送信する。上記の例の場合、メール情報に含まれている本文情報と付加本文情報及び添付ファイル情報を含むメールを、メール情報に含まれている、第１メールアドレス入力欄１１０に入力された第１のメールアドレス「１１１＠ｘｘ．ｎｅ．ｊｐ」宛に送信する。また、メール情報に含まれている本文情報を含むメールを、メール情報に含まれている、第２メールアドレス入力欄１２０に入力された第２のメールアドレス「２２２＠ｘｘ．ｎｅ．ｊｐ」宛に送信する。
【００１９】
図１では、メールアドレス「１１１＠ｘｘ．ｎｅ．ｊｐ」が設定されている端末装置３０が、本文情報と付加本文情報及び添付ファイル情報を含むメールを受信する。これにより、端末装置３０の表示手段には、図３に示すメール受信画面２００が表示される。
メール受信画面２００には、受信情報表示欄（受信情報表示部）２１０、内容表示欄（本文表示部）２２０が設けられている。
受信情報表示欄２１０には、メールを送信した端末装置１０に設定されているメールアドレス（３３３＠ｘｘ．ｎｅ．ｊｐ）、メールを受信した日時、宛先（端末装置３０に設定されているメールアドレス；１１１＠ｘｘ．ｎｅ．ｊｐ）、添付されている添付ファイルが表示されている。
内容表示欄２２０には、メール管理装置２０から受信した本文情報に対応する本文１３１、及びメール管理装置２０から受信した付加本文情報に対応する付加本文１４１が表示されている。
【００２０】
また、メールアドレス「２２２＠ｘｘ．ｎｅ．ｊｐ」が設定されている端末装置４０が、本文情報を含むメールを受信する。これにより、端末装置４０の表示手段には、図４に示すメール受信画面３００が表示される。
メール受信画面３００には、受信情報表示欄（受信情報表示部）３１０、内容表示欄（本文表示部）３２０が設けられている。
受信情報表示欄３１０には、メールを送信した端末装置１０に設定されているメールアドレス（３３３＠ｘｘ．ｎｅ．ｊｐ）、メールを受信した日時、宛先（端末装置４０に設定されているメールアドレス；２２２＠ｘｘ．ｎｅ．ｊｐ）が表示されている。
内容表示欄２２０には、メール管理装置２０から受信した本文情報に対応する本文１３１が表示されている。
【００２１】
本実施の形態のメール送信装置１によれば、メール管理装置２０は、端末装置１０から本文１３１を示す本文情報、付加本文１４１を示す付加本文情報、添付ファイル情報、第１のメールアドレス情報「１１１＠ｘｘ．ｎｅ．ｊｐ」、第２のメールアドレス情報「２２２＠ｘｘ．ｎｅ．ｊｐ」等のメール情報を受信すると、本文情報及び付加本文情報及び添付ファイル情報を含むメールを第１のメールアドレス宛に送信し、本文情報のみを含むメールを第２のメールアドレス宛に送信する。したがって、本文情報と添付ファイル情報及び付加本文情報（例えば、添付ファイルに関するコメント等）を含むメールの第１のメールアドレス宛への送信と、本文情報のみを含む（添付ファイル情報及び付加本文情報を含まない）メールの第２のメールアドレス宛への送信を、１回のメール情報入力操作によって送信することができる。これにより、異なる本文情報を含むメール（本文情報と付加本文情報を含むメールと本文情報のみを含むメール）を異なる送信先に簡単に送信することができる。
【００２２】
なお、本実施の形態では、添付ファイルを添付するメールの本文情報に付加本文情報を付加して送信したが、添付ファイルを添付しないメールの本文情報に付加本文情報を付加して送信してもよい。この場合には、管理側処理手段２０ｂは、管理側受信手段２０ａで受信した本文情報と添付ファイル情報を含むメールを第１のメールアドレス宛に送信し、本文情報と付加本文情報のみを含むメールを第２のメールアドレス宛に送信する。
また、添付ファイルを添付するメールの本文情報と、添付ファイルを添付しないメールの本文情報とでは異なる本文情報を送信してもよい。この場合には、メール情報入力画面に、添付ファイルを添付するメールに含ませる第１の本文を入力する第１の本文入力欄（第１の本文入力部）と、添付ファイルを添付しないメールに含ませる第２の本文を入力する第２の本文入力欄（第２の本文入力部）が設けられ、端末装置は、第１の本文情報と第２の本文情報と添付ファイル情報を含むメール情報をメール管理装置２０に送信する。管理側処理手段２０ｂは、管理側受信手段２０ａで受信した第１の本文情報と添付ファイル情報を含むメールを第１のメールアドレス宛に送信し、第２の本文情報を含むメールを第２のメールアドレス宛に送信する。第1の本文情報と第２の本文情報は、メール管理装置が判別可能に送信する。例えば、第１の本文情報及び第２の本文情報に、第１の本文情報及び第２の本文情報を示す識別情報を付加して送信する。あるいは、第１の本文情報と第１のメールアドレス情報を組み合わせ、第２の本文情報と第２のメールアドレス情報を組み合わせて送信する。
また、「第１のメールアドレス」と「第２のメールアドレス」は、異なる本文情報を送信する異なるメールアドレスを意味し、「第１のメールアドレス」や「第２のメールアドレス」について、それぞれ複数のメールアドレスを設定することができる。例えば、メール情報入力画面で、本文情報と添付ファイル情報を含むメールを送信する複数の第１のメールアドレス、本文情報のみを含むメールを送信する複数の第２のメールアドレスを設定することができる。この場合には、メール管理装置は、第１の本文情報と添付ファイル情報を含むメールを複数の第１のメールアドレス宛に送信するとともに、本文情報のみを含むメールを複数の第２のメールアドレス宛に送信する。
本実施の形態の本文１３１を示す情報は本発明の「第１の本文情報」に、付加本文１４１を示す情報は本発明の「第２の本文情報」に対応する。この場合、端末装置３０は、「第１の本文情報」及び「第２の本文情報」を受信する。なお、本実施の形態の本文１３１及び付加本文１４１を示す情報を併せて、本発明の「第１の本文情報」としてもよい。この場合、端末装置３０は、「第１の本文情報」のみを受信する。
【００２３】
（第２の実施の形態）
次に、第２の実施の形態を、図５〜図８を参照しつつ説明する。本実施の形態では、送信者は、端末装置から、メール情報入力画面を用いて、複数種類の本文情報、複数の送信先のメールアドレス、各本文情報を各メールアドレスに送信するか否かを示す送信可否情報等のメール情報を入力し、メール管理装置に送信する。メール管理装置は、端末装置から送信されたメール情報を受信すると、本文情報と送信可否情報に基づいて、各メールアドレスに送信する本文情報を選択し、選択した本文情報を含むメールを各メールアドレス宛に送信する。
本実施の形態の、端末装置でメール情報を入力するためのメール情報入力画面の一例を図５に示す。また、図５に示したメール情報入力画面で入力された本文情報を含むメールを受信した端末装置の表示手段に表示されるメール受信画面の例を、図６〜図８に示す。
なお、本実施の形態の概略構成は、図１に示す第１の実施の形態と同様であるので、説明を省略する。
【００２４】
そこで、本実施の形態の動作を説明する。
送信者が端末装置を用いてメール情報を入力する場合、端末装置の表示手段には、図５に示すメール情報入力画面４００が表示される。メール情報入力画面４００には、アドレス入力欄（アドレス情報入力部）４１０、第１情報入力欄（第１情報入力部）４２０、第２情報入力欄（第２情報入力部）４３０、第３情報入力欄（第３情報入力部）４４０が設けられている。各情報入力欄４２０，４３０，４４０には、アドレス入力欄４１０に入力した各メールアドレスに各本文情報を送信するか否かを示す送信可否情報を入力する送信可否情報入力欄（送信可否情報入力部）４２１，４３１，４４１及び第１本文１，第２本文２，第３本文３を入力する第１本文入力欄（第１本文情報入力部）４２２、第２本文入力欄（第２本文情報入力部）４３２、第３本文入力欄（第３本文情報入力部）４４２が設けられている。また、アドレス入力欄４１０には、メールの宛先を入力する宛先入力欄、メールの控えの宛先を入力する宛先入力欄が設けられている。
【００２５】
送信者は、まず、マウス等を用いてアドレス入力欄４１０の宛先入力欄にカーソルを移動し、キーボードを用いて、複数の送信先のメールアドレス、例えば、図５に示す「１１１＠ｘｘｘ．ｎｅ．ｊｐ；２２２＠ｘｘｘ．ｎｅ．ｊｐ；４４４＠ｘｘｘ．ｎｅ．ｊｐ」を入力する。
【００２６】
次に、送信者は、第１情報入力欄４２０の第１本文入力欄４２３にカーソルを移動し、第１本文４２２を入力する。そして、送信可否情報入力欄４２１にカーソルを移動し、アドレス入力欄４１０に入力した各メールアドレスに第１本文４２２を送信するか否かを入力する。例えば、図５に示すメール情報入力画面４００では、アドレス入力欄４１０に入力した各メールアドレスと、各メールアドレスに対応するチェックボックスが表示されている。そして、送信者は、第１本文４２２を送信するメールアドレスに対応するチェックボックスに、チェックマークを入力する（例えば、該当するチェックボックスにカーソルを移動しエンターキーを操作する。）。
同様にして、第２情報入力欄４３０の第２本文入力欄４３３に、第２本文４３２を入力する。そして、送信可否情報入力欄４３１に、アドレス入力欄４１０に入力した各メールアドレスに第２本文４３２を送信するか否かを入力する
また、第３情報入力欄４４０の第３本文入力欄４４３に、第３本文４４２を入力する。そして、送信可否情報入力欄４４１に、アドレス入力欄４１０に入力した各メールアドレスに第３本文４４２を送信するか否かを入力する。
【００２７】
これにより、第１本文入力欄４２３に入力された第１本文４２２を送信するメールアドレスが設定される。図５に示す例では、第１本文４２２を示す第１の本文情報を、メールアドレス「１１１＠ｘｘ．ｎｅ．ｊｐ」、「２２２＠ｘｘ．ｎｅ．ｊｐ」、「４４４＠ｘｘ．ｎｅ．ｊｐ」に送信することが設定されている。
また、第２本文入力欄４３３に入力された第２本文４３２を送信するメールアドレスが設定される。図５に示す例では、第２本文４３２を示す第２の本文情報を、メールアドレス「１１１＠ｘｘ．ｎｅ．ｊｐ」、「２２２＠ｘｘ．ｎｅ．ｊｐ」に送信することが設定されている。
また、第３本文入力欄４４３に入力された第３本文４４２を送信するメールアドレスが設定される。本実施の形態では、第３本文４４２を示す第３の本文情報を、メールアドレス「１１１＠ｘｘ．ｎｅ．ｊｐ」に送信することが設定されている。
すなわち、メールアドレス「１１１＠ｘｘ．ｎｅ．ｊｐ」には、第１本文４２２、第２本文４３２、第３本文４４２を、メールアドレス「２２２＠ｘｘ．ｎｅ．ｊｐ」には、第１本文４２２、第２本文４３２を、メールアドレス「４４４＠ｘｘ．ｎｅ．ｊｐ」には、第１本文４２２を送信することが設定されている。
そして、送信者は、メール情報入力画面４００に入力した内容を確認し、送信操作を行う。これにより、端末装置は、入力されたメール情報をメール管理装置に送信する。この時、メール管理装置が、各メールアドレスと各本文情報を判別可能に送信する。例えば、各メールアドレスに各メールアドレスを示す識別情報を付加する。また、各本文情報に各本文情報を示す識別情報を付加する。
【００２８】
メール管理装置は、端末装置から送信されたメール情報を受信すると、受信したメール情報に基づいてメールを送信する。上記の例の場合、メール情報に含まれている第１本文４２２、第２本文４３２、第３本文４４２を示す第１、第２、第３の本文情報を含むメールを、メール情報に含まれているメールアドレス「１１１＠ｘｘ．ｎｅ．ｊｐ」宛に送信する。また、メール情報に含まれている第１本文４２２、第２本文４３２を示す第１、第２の本文情報を含むメールを、メール情報に含まれているメールアドレス「２２２＠ｘｘ．ｎｅ．ｊｐ」宛に送信する。また、メール情報に含まれている第１本文４２２を示す第１の本文情報を含むメールを、メール情報に含まれているメールアドレス「４４４＠ｘｘ．ｎｅ．ｊｐ」宛に送信する。
【００２９】
そして、メールアドレス「１１１＠ｘｘ．ｎｅ．ｊｐ」が設定されている端末装置では、第１本文４２２、第２本文４３２、第３本文４４２を示す第１、第２、第３の本文情報を含むメールが受信される。これにより、当該端末装置の表示手段には、図６に示すメール受信画面５００が表示される。
メール受信画面５００には、受信情報表示欄（受信情報表示部）５１０、内容表示欄（内容表示）５２０が設けられている。
受信情報表示欄５１０には、メールを送信した端末装置に設定されているメールアドレス（３３３＠ｘｘ．ｎｅ．ｊｐ）、メールを受信した日時、宛先（受信した端末装置に設定されているメールアドレス；１１１＠ｘｘ．ｎｅ．ｊｐ）が表示されている。
内容表示欄５２０には、メール管理装置から受信した第１、第２、第３の本文情報に対応する第１本文４２２，第２本文４３２，第３本文４４２が表示されている。
【００３０】
また、メールアドレス「２２２＠ｘｘ．ｎｅ．ｊｐ」が設定されている端末装置では、第１本文４２２、第２本文４３２を示す第１、第２の本文情報を含むメールが受信される。これにより、当該端末装置の表示手段には、図７に示すメール受信画面６００が表示される。
メール受信画面６００には、受信情報表示欄（受信情報表示部）６１０、内容表示欄（内容表示）６２０が設けられている。
受信情報表示欄６１０には、メールを送信した端末装置に設定されているメールアドレス（３３３＠ｘｘ．ｎｅ．ｊｐ）、メールを受信した日時、宛先（受信した端末装置に設定されているメールアドレス；２２２＠ｘｘ．ｎｅ．ｊｐ）が表示されている。
内容表示欄６２０には、メール管理装置から受信した第１、第２の本文情報に対応する第１本文４２２，第２本文４３２が表示されている。
【００３１】
また、メールアドレス「４４４＠ｘｘ．ｎｅ．ｊｐ」が設定されている端末装置４０では、第１本文４２２を示す第１の本文情報を含むメールが受信される。これにより、当該端末装置の表示手段には、図８に示すメール受信画面７００が表示される。
メール受信画面７００には、受信情報表示欄（受信情報表示部）７１０、内容表示欄（内容表示）７２０が設けられている。
受信情報表示欄７１０には、メールを送信した端末装置に設定されているメールアドレス（３３３＠ｘｘ．ｎｅ．ｊｐ）、メールを受信した日時、宛先（受信した端末装置に設定されているメールアドレス；４４４＠ｘｘ．ｎｅ．ｊｐ）が表示されている。
内容表示欄７２０には、メール管理装置から受信した第１の本文情報に対応する第１本文４２２が表示されている。
【００３２】
本実施の形態のメール送信装置によれば、メール管理装置は、端末装置から、第１、第２、第３本文４２２、４３２、４４２を示す第１、第２、第３の本文情報、複数のメールアドレス情報「１１１＠ｘｘ．ｎｅ．ｊｐ」、「２２２＠ｘｘ．ｎｅ．ｊｐ」、「４４４＠ｘｘ．ｎｅ．ｊｐ」、各本文情報を各メールアドレスに送信するか否かを示す送信可否情報等のメール情報を受信すると、各本文情報と送信可否情報に基づいて、各メールアドレスに送信する本文情報を選択し、選択した本文情報を含むメールを各メールアドレス宛に送信する。本実施の形態では、第１、第２、第３本文４２２，４３２，４４２を示す第１、第２、第３の本文情報含むメールのメールアドレス「１１１＠ｘｘ．ｎｅ．ｊｐ」への送信と、第１、第２本文４２２，４３２を示す第１、第２の本文情報含むメールのメールアドレス「２２２＠ｘｘ．ｎｅ．ｊｐ」への送信と、第１本文４２２を示す第１の本文情報を含むメールのメールアドレス「４４４＠ｘｘ．ｎｅ．ｊｐ」への送信を、１回のメール情報入力操作によって送信している。これにより、異なる本文情報を含むメールを異なる送信先に簡単に送信することができる。
【００３３】
ところで、異なるメールではあるが、同じ事項に関するメールを異なる送信先に送信する場合には、同じ事項に関するメールを受信した他の受信者を知ることにより、受信者同士のコミュニケーションの円滑化を図ることができる。
以下に、メールを受信した端末装置に、他の受信者を表示することができるようにしたメール送信装置を説明する。
いま、端末装置により、図５のメール情報入力画面４００に示すメール情報が入力され、メール管理装置に送信されたものとする。
メール管理装置は、端末装置から送信されたメール情報を受信すると、受信したメール情報に基づいて、メール情報に含まれている第１本文４２２、第２本文４３２、第３本文４４２を示す第１、第２、第３の本文情報、及び第１本文４２２を送信するメールアドレス（「１１１＠ｘｘ．ｎｅ．ｊｐ」、「２２２＠ｘｘ．ｎｅ．ｊｐ」、「４４４＠ｘｘ．ｎｅ．ｊｐ」）を示すメールアドレス情報、及び第２本文４３２を送信するメールアドレス（「１１１＠ｘｘ．ｎｅ．ｊｐ」、「２２２＠ｘｘ．ｎｅ．ｊｐ」）を示すメールアドレス情報、及び第３本文４４２を送信するメールアドレス（「１１１＠ｘｘ．ｎｅ．ｊｐ」）を示すメールアドレス情報を含むメールを、メール情報に含まれているメールアドレス「１１１＠ｘｘ．ｎｅ．ｊｐ」宛に送信する。また、メール情報に含まれている第１本文４２２、第２本文４３２を示す第１、第２の本文情報、及び第１本文４２２を送信するメールアドレス（「１１１＠ｘｘ．ｎｅ．ｊｐ」、「２２２＠ｘｘ．ｎｅ．ｊｐ」、「４４４＠ｘｘ．ｎｅ．ｊｐ」）を示すメールアドレス情報、及び第２本文４３２を送信するメールアドレス（「１１１＠ｘｘ．ｎｅ．ｊｐ」、「２２２＠ｘｘ．ｎｅ．ｊｐ」）を示すメールアドレス情報を含むメールを、メール情報に含まれているメールアドレス「２２２＠ｘｘ．ｎｅ．ｊｐ」宛に送信する。また、メール情報に含まれている第１本文４２２を示す第１の本文情報、及び第１本文４２２を送信するメールアドレス（「１１１＠ｘｘ．ｎｅ．ｊｐ」、「２２２＠ｘｘ．ｎｅ．ｊｐ」、「４４４＠ｘｘ．ｎｅ．ｊｐ」）を示すメールアドレス情報を含むメールを、メール情報に含まれているメールアドレス「４４４＠ｘｘ．ｎｅ．ｊｐ」宛に送信する。
【００３４】
メールアドレス「１１１＠ｘｘ．ｎｅ．ｊｐ」が設定されている端末装置では、第１本文４２２、第２本文４３２、第３本文４４２を示す第１、第２、第３の本文情報、及び各本文情報を含むメールが送信されるアドレス情報を含むメールが受信される。これにより、当該端末装置の表示手段には、図９に示すメール受信画面８００が表示される。
メール受信画面８００には、受信情報表示欄（受信情報表示部）８１０、内容表示欄（内容表示）８２０、送信アドレス表示欄８３０が設けられている。
受信情報表示欄８１０には、メールを送信した端末装置に設定されているメールアドレス（３３３＠ｘｘ．ｎｅ．ｊｐ）、メールを受信した日時、宛先（メール管理装置が当該メールの全部もしくは一部を送信した端末装置に設定されているメールアドレス；１１１＠ｘｘ．ｎｅ．ｊｐ、２２２＠ｘｘ．ｎｅ．ｊｐ、４４４＠ｘｘ．ｎｅ．ｊｐ、）が表示されている。
内容表示欄８２０には、メール管理装置から受信した第１、第２、第３の本文情報に対応する第１本文４２２，第２本文４３２，第３本文４４２が表示されている。
送信アドレス表示欄８３０は、第１本文４２２、第２本文４３２、第３本文４４２に対応して設けられていて、第１本文４２２の送信アドレス表示欄８３０には、メール管理装置が第１本文４２２を示す第１の本文情報を送信したメールアドレス「１１１＠ｘｘ．ｎｅ．ｊｐ」、「２２２＠ｘｘ．ｎｅ．ｊｐ」、「４４４＠ｘｘ．ｎｅ．ｊｐ」が表示されている。また、第２本文４３２の送信アドレス表示欄８３０には、メール管理装置が第２本文４３２を示す本文情報を送信したメールアドレス「１１１＠ｘｘ．ｎｅ．ｊｐ」、「２２２＠ｘｘ．ｎｅ．ｊｐ」が表示されている。第３本文４４２の送信アドレス表示欄８３０には、メール管理装置が第２本文４３２を示す第２の本文情報を送信したメールアドレス「１１１＠ｘｘ．ｎｅ．ｊｐ」が表示されている。
また、メールアドレス「２２２＠ｘｘ．ｎｅ．ｊｐ」が設定されている端末装置では、第１本文４２２、第２本文４３２を示す第１、第２の本文情報、及び各本文情報を含むメールが送信されたアドレス情報を含むメールが受信される。これにより、当該端末装置の表示手段には、第１本文４２２の送信アドレス表示欄に、メール管理装置が第１本文４２２を示す第１の本文情報を送信したメールアドレス「１１１＠ｘｘ．ｎｅ．ｊｐ」、「２２２＠ｘｘ．ｎｅ．ｊｐ」、「４４４＠ｘｘ．ｎｅ．ｊｐ」が、第２本文４３２の送信アドレス表示欄に、メール管理装置が第２本文４３２を示す第２の本文情報を送信したメールアドレス「１１１＠ｘｘ．ｎｅ．ｊｐ」、「２２２＠ｘｘ．ｎｅ．ｊｐ」が表示されているメール受信画面が表示される。
また、メールアドレス「４４４＠ｘｘ．ｎｅ．ｊｐ」が設定されている端末装置では、第１本文４２２を示す第１の本文情報、及び第１本文４２２を示す第１の本文情報を含むメールが送信されたアドレス情報を含むメールが受信される。これにより、当該端末装置の表示手段には、第１本文４２２の送信アドレス表示欄に、メール管理装置が第１本文４２２を示す第１の本文情報を送信したメールアドレス「１１１＠ｘｘ．ｎｅ．ｊｐ」、「２２２＠ｘｘ．ｎｅ．ｊｐ」、「４４４＠ｘｘ．ｎｅ．ｊｐ」が表示されているメール受信画面が表示される。
【００３５】
これによれば、メールを受信した端末装置に、受信した本文情報が送信された送信先のメールアドレスを表示させることができるので、メールを受信した受信者は、同じ本文情報を受信した他の受信者を判別することができる。これにより、受信者間のコミュニケーションの円滑化を図ることができる。
【００３６】
なお、メールを受信した端末装置で、メール管理装置が各本文情報を送信したメールアドレスを表示させることができる構成となっていてもよい。例えば、メールアドレス「４４４＠ｘｘ．ｎｅ．ｊｐ」が設定されている端末装置では、第１本文４２２を示す第１の本文情報を送信した、メールアドレス「１１１＠ｘｘ．ｎｅ．ｊｐ」、「２２２＠ｘｘ．ｎｅ．ｊｐ」、「４４４＠ｘｘ．ｎｅ．ｊｐ」が表示されるとともに、第２本文４３２及び第３本文４４２の存在と、メール管理装置が第２本文４３２を示す第２の本文情報を送信したメールアドレス「１１１＠ｘｘ．ｎｅ．ｊｐ」、「２２２＠ｘｘ．ｎｅ．ｊｐ」、メール管理装置が第３本文４４２を示す第３の本文情報を送信したメールアドレス「１１１＠ｘｘ．ｎｅ．ｊｐ」を表示可能に構成されていてもよい。この場合、当該端末装置では、第２本文４３２、第３本文４４２を示す本文情報は送信されていないので、その内容については知ることができない。
【００３７】
本実施の形態で、例えば、第１本文４２２、第２本文４３２、第３本文４４２を送信するメールアドレス、「１１１＠ｘｘ．ｎｅ．ｊｐ」は、本発明の「第１のメールアドレス」に対応する。また、第１本文４２２、第２本文４３２を送信するメールアドレス、「２２２＠ｘｘ．ｎｅ．ｊｐ」は、本発明の「第２のメールアドレス」に対応する。第１のメールアドレスには、複数のメールアドレスが含まれていても良い。同様に、第２のメールアドレスにも、複数のメールアドレスが含まれていても良い。
なお、管理側処理手段２０ａが、第１のメールアドレス情報及び第２のメールアドレス情報を含むメールを送信する方法としては種々の方法を用いることができる。例えば、メールのヘッダに、当該メールを送信する複数の送信先のメールアドレスを示すメールアドレス情報を含ませる方法を用いることができる。この場合、当該メールを受信した端末装置は、受信したメールのヘッダに挿入されているメールアドレス情報に基づいて、当該メールが送信されたメールアドレス（自己に設定されているメールアドレスを含む）を表示手段に表示することができる。
あるいは、メールアドレス情報を含む付加本文情報を作成し、付加本文情報を本文情報に付加する方法を用いることができる。この場合、当該メールを受信した端末装置は、メールのヘッダに挿入されているメールアドレス情報で示されるメールアドレスは表示手段に表示可能であるため、メールのヘッダに含まれていないメールアドレスを示すメールアドレス情報を含む付加本文情報を作成すればよい。勿論、全てのメールアドレス情報を含む付加本文情報を作成してもよい。例えば、当該メールを送信する際に、自己のメールアドレス及び本文情報が同じメールを送信するメールアドレスについては、メールのヘッダに各メールアドレス情報を挿入し、本文情報が異なるメールを送信するメールアドレスについては、そのメールアドレス情報を含む付加本文情報を作成してもよい。
【００３８】
なお、第１のメールアドレスや第２のメールアドレスが複数存在し、第１のメールアドレス中の所定のメールアドレス宛にメールを送信する際に、当該所定のメールアドレスは、メールの宛先に含まれているため、端末装置で表示可能である。したがって、第１のメールアドレス中の当該所定のメールアドレスを除く他の第１のメールアドレスと、第２のメールアドレスを当該所定のメールアドレス宛に送信すればよい。勿論、第１及び第２のメールアドレスの全てを送信してもよい。なお、これらのメールアドレスの送信方法としては、メールのヘッダに挿入する方法や、メールの付加本文情報として作成して送信する方法等を用いることができる。このような方法を用いる場合も、本発明の「第１のメールアドレス情報と第２のメールアドレス情報を含むメールを送信する」概念に含まれる。
【００３９】
また、本実施の形態では、メール入力画面４００の各情報入力欄４２０、４３０、４４０の送信可否情報入力欄４２１、４３１、４４１には、メールアドレス入力欄４１０に入力されたメールアドレスとチェックボックスが表示され、チェックボックスにチェックマークを入力することで、第１〜第３本文情報４２２、４３２、４４２を送信するメールアドレスを設定する構成としたが、各メールアドレスに送信する本文情報の設定方法はこれに限定されない。
例えば、図５に示すメール情報入力画面４００の、各情報入力欄４２０、４３０、４４０の送信可否情報入力欄４２１、４３１、４４１に代えて、メールアドレス入力欄（メールアドレス入力部）を設け、各メールアドレス入力欄に、第１〜第３本文情報を送信するメールアドレスを入力する方法を用いることもできる。この場合、端末装置からメール管理装置に、本文情報と、当該本文情報を送信するメールアドレスが判別可能に送信する。例えば、本文情報と、当該本文情報を送信するメールアドレスを組み合わされて送信する。メール管理装置は、本文情報とメールアドレスの組合せに基づいて、各メールアドレスに送信する本文情報を選択する。
この場合、図５に示すメール情報入力画面４００のメールアドレス入力欄４１０を省略することもできる。
また、メールアドレスに送信する本文情報を、複数の本文情報の中から複数選択可能に構成したが、メールアドレスに送信する本文情報を、複数の本文情報の中から１つだけ選択可能に構成することもできる。この場合にも、１回のメール情報入力操作で、異なる本文を含むメールを異なる送信先に送信することができる。
【００４０】
本発明は、実施の形態で説明した構成に限定されず種々の変更、追加、削除が可能である。
例えば、メール情報入力画面は、端末装置がメール管理装置にアクセスし、Ｗｅｂサーバを介して受信するＷｅｂページのメール情報入力画面が端末装置の表示手段に表示される構成としてもよい。また、端末装置がメール管理装置に、入力画面情報要求信号を送信するとメール管理装置から当該端末装置にメール情報入力画面情報を含むメールが送信され、これが表示手段に表示される構成としてもよい。これによれば、メール情報入力画面情報はメール管理装置側で管理されるので、メール情報入力画面情報の更新が容易である。さらに、メール情報入力画面の構成は、実施の形態の構成に限定されない。
また、メール受信画面は、実施の形態の構成のメール受信画面に限定されず種々の構成のメール受信画面を用いることができる。
また、メールアドレスに送信可能な本文情報の数や、本文情報の各組み合わせあるいは本文情報と付加本文情報の組合せを送信可能なメールアドレスのグループ（例えば、第１のメールアドレスのグループや、第２のメールアドレスのグループ）の数や、各グループのメールアドレスの数等は適宜設定可能である。
また、メールを送信する端末装置が、メールを受信する端末装置と同様の表示態様のメール受信画面を表示させることができるメールプレビュー機能を備えていても良い。例えば、メールを送信する端末装置で、メールプレビュー機能を動作させ、メールを送信するメールアドレスを選択する。これにより、メールを送信する端末装置の表示手段には、当該選択されたメールアドレスが設定された端末装置に表示されるメール受信画面と同様の表示態様の画面（例えば、図３、図４、図５、図６、図７、図８）が表示される。このようなメール受信画面の表示態様は、例えば、メールを受信する端末装置に設定されているメーラー（メールソフト）に対応する。これにより、メールの送信者は、自己が送信するメールによりメールを受信した端末装置に表示されるメール受信画面を確認することができるので、メールを誤って作成、送信することを防止することができ、安心感がある。
また、第２の実施の形態では、第１〜第３の本文情報を含むメールを受信するメールアドレス「１１１＠ｘｘ．ｎｅ．ｊｐ」が設定されている受信端末表示装置、第１、第２の本文情報を含むメールを受信するメールアドレス「２２２＠ｘｘ．ｎｅ．ｊｐ」が設定されている受信端末表示装置、第１の本文情報を含むメールを受信するメールアドレス「４４４＠ｘｘ．ｎｅ．ｊｐ」が設定されている受信端末表示装置の全てで、第１〜第３のいずれかの本文情報を含むメールを受信した受信者（他の受信者）のメールアドレスを表示可能に構成したが、いずれかの受信端末表示装置のみに、他の受信者のメールアドレスを表示可能に構成してもよい。例えば、第１〜第３の本文情報を含むメールを受信するメールアドレス「１１１＠ｘｘ．ｎｅ．ｊｐ」が設定されている受信端末表示装置にのみ、他の受信者、すなわち、第１、第２の本文情報を含むメールを送信したメールアドレス「２２２＠ｘｘ．ｎｅ．ｊｐ」、第１の本文情報のみを含むメールを送信したメールアドレス「４４４＠ｘｘ．ｎｅ．ｊｐ」を送信し、メールアドレス「１１１＠ｘｘ．ｎｅ．ｊｐ」が設定されている受信端末表示装置で、これらのメールアドレスを表示可能に構成する。
これによっても、第１〜第３の本文情報を受信した受信者は、各本文情報を受信した他の受信者を知ることができ、受信者間のコミュニケーションの向上を図ることができる。
また、このようなメールアドレス情報の表示態様は、第１の実施の形態にも用いることができる。例えば、添付ファイルを付加したメールを受信した受信端末表示装置及び添付ファイルを付加していないメールを受信した受信端末表示装置、あるいは、添付ファイルを付加したメールを受信した受信端末表示装置のみ、あるいは、添付ファイルを付加していないメールを受信した受信端末表示装置のみに、添付ファイルを付加したメールを送信したメールアドレス及び添付ファイルを付加していないメールを送信し、他の受信者のメールアドレスを表示可能に構成してもよい。
したがって、本発明のメール送信装置では、少なくとも１つの受信端末表示装置に、異なる内容のメールが同時に送信された、他の受信者のメールアドレスを表示可能な構成であればよい。
なお、他の受信者のメールアドレスを受信端末表示装置に表示可能とする構成は、同じ内容の本文を含むメールを異なるメールアドレスに送信する場合（例えば、本文情報と添付ファイル情報を含むメールを第１のメールアドレスに送信し、本文情報のみを含むメールを第２のメールアドレスに送信する場合）にも適用することができる。この場合には、受信者は、添付ファイルを含むメールを受信した受信者と、添付ファイルを含まないメールを受信した受信者を判別することができる。これにより、特許文献１に記載のメール送信装置に比べて受信者間のコミュニケーションの円滑化を図ることができる。
【００４１】
また、本発明の趣旨に鑑み、以下の態様を構成することができる。
（態様１）
端末装置とメール管理装置とを備え、
前記端末装置は、
第１の本文情報、第２の本文情報、添付ファイル情報、第１の本文情報と添付ファイル情報を含むメールを送信する第１のメールアドレスを示す第１のメールアドレス情報、第２の本文情報を含むメールを送信する第２のメールアドレスを示す第２のメールアドレス情報を入力可能な端末側入力手段と、
前記端末側入力手段で入力された第１の本文情報、第２の本文情報、添付ファイル情報、第１のメールアドレス情報、第２のメールアドレス情報をメール管理装置に送信可能な端末側処理手段を有し、
前記メール管理装置は、
前記端末装置から送信された第１の本文情報、第２の本文情報、添付ファイル情報、第１のメールアドレス情報、第２のメールアドレス情報を受信可能な管理側受信手段と、
前記管理側受信手段で受信した第１の本文情報、第２の本文情報、添付ファイル情報、第１のメールアドレス情報、第２のメールアドレス情報に基づいて、前記受信した第１の本文情報及び添付ファイル情報を含むメールを前記受信した第１のメールアドレス情報で示される第１のメールアドレス宛に送信し、前記受信した第２の本文情報を含むメールを前記受信した第２のメールアドレス情報で示される第２のメールアドレス宛に送信する管理側処理手段を有する、
メール送信装置。
態様１のメール送信装置によれば、添付ファイル情報を含むメールと添付ファイル情報を含まないメールとには異なる本文情報を含ませて、異なる送信先に同時にメールを送信することができる。これにより、送信者は、添付ファイル情報を含むメールと添付ファイル情報を含まないメールのメール情報の入力操作を別々に行う必要がなく、メール情報の入力操作を簡単化することがきできる。
（態様２）
「端末装置とメール管理装置とを備え、
前記端末装置は、
本文情報、添付ファイル情報、本文情報と添付ファイル情報を含むメールを送信する第１のメールアドレスを示す第１のメールアドレス情報、本文情報を含むメールを送信する第２のメールアドレスを示す第２のメールアドレスを入力可能な端末側入力手段と、
前記端末側入力手段で入力された本文情報、添付ファイル情報、第１のメールアドレス情報、第２のメールアドレス情報をメール管理装置に送信可能な端末側処理手段を有し、
前記メール管理装置は、
前記端末装置から送信された本文情報、添付ファイル情報、第１のメールアドレス情報及び第２のメールアドレス情報を受信可能な管理側受信手段と、
前記管理側受信手段で受信した本文情報、添付ファイル情報、第１のメールアドレス情報、第２のメールアドレス情報に基づいて、前記受信した本文情報及び添付ファイル情報を含むメールを前記受信した第１のメールアドレス情報で示される第１のメールアドレス宛に送信し、前記受信した本文情報を含むメールを前記受信した第２のメールアドレス情報で示される第２のメールアドレス宛に送信する管理側処理手段を有する、
メール送信装置。」
態様２のメール送信装置によれば、添付ファイル情報を含むメールには本文情報を含ませ、複数のメールアドレスにメールを送信することができる。したがって、添付ファイルを含むメールを送信する相手先には、送信者からの添付ファイルに関するメッセージを伝達することが容易となる。
（態様３）
「態様１または２に記載のメール送信装置であって、
前記端末側入力手段は、第１の付加本文情報あるいは第２の付加本文情報を入力可能であり、
前記端末側処理手段は、前記端末側入力手段で入力された第１の付加本文情報あるいは第２の付加本文情報を前記メール管理装置に送信可能であり、
管理側受信手段は、前記端末装置から送信された第１の付加本文情報あるいは第２の付加本文情報を受信可能であり、
前記管理側処理手段は、前記管理側受信手段で受信した前記第１の付加本文情報を含むメールを前記第１のメールアドレス宛に送信し、あるいは、前記受信した第２の付加本文情報を含むメールを前記第２のメールアドレス宛に送信する、
メール送信装置。」
「第１の付加本文情報」としては、例えば、添付ファイル情報を含むメールを送信する場合に、本文に付加する、添付ファイル情報の添付に関する付加本文を示す情報が用いられる。「第２の付加本文情報」としては、例えば、添付ファイル情報を含まないメールを送信する場合に、本文に付加する、添付ファイルを添付しないことに関する付加本文を示す情報が用いられる。第１の付加本文情報及び第２の付加本文情報としては、一部あるいは全部が異なる文章等が用いられる。
態様３のメール送信装置によれば、添付ファイル情報を含むメールに第１の付加本文情報を含ませるか、添付ファイル情報を含まないメールに第２の付加本文情報を含ませるかいずれかを選択することができる。したがって、本文情報においては添付ファイルに関する文章等を入力する必要がなく、本文情報の入力操作に要する時間を短縮化することができる。
（態様４）
「態様１〜３のいずれかに記載のメール送信装置であって、
前記端末装置は、前記第１のメールアドレスを入力する第１のメールアドレス入力部と前記第２のメールアドレスを入力する第２のメールアドレス入力部を含むメール情報入力画面を表示可能な表示手段を備え、
前記端末側処理手段は、前記表示手段に前記メール情報入力画面が表示されている状態で、前記端末側入力手段により、前記第１のメールアドレス入力部に入力されたメールアドレスを前記第１のメールアドレスとして判別し、前記第２のメールアドレス入力部に入力されたメールアドレスを前記第２のメールアドレスとして判別する、
メール送信装置。」
態様４のメール送信装置によれば、第１のメールアドレス及び第２のメールアドレスを
入力する操作が容易であるとともに、入力した第１のメールアドレス及び第２のメールア
ドレスの確認が容易である。
【００４２】
ところで、雑誌やＷｅｂページに広告情報（広告文情報や画像情報が含まれる）を掲載する場合や、広告情報を印刷したパンフレットを印刷する場合等には、広告情報提供者は、雑誌やＷｅｂページに掲載するあるいはパンフレットに印刷する広告情報を雑誌の発行会社や印刷会社等に送っている。例えば、中古社販売会社が、販売する中古車の情報（中古車情報）を中古車情報誌に掲載する場合には、当該中古車の画像情報（写真や画像データ）と広告文情報（例えば、車種情報、年式情報、走行距離情報等）を中古車情報誌の発行会社に送っている。
【００４３】
ここで、中古車を販売する場合、中古車情報は、複数の中古車情報誌に掲載されることが多く、また、中古車情報誌に複数回掲載されることが多い。このため、中古車会社は、中古車の画像情報を記憶媒体（例えば、ハードメモリ、ＣＤ−ＲＯＭ等）に保存しておき、同じ中古車の中古車情報を中古車情報誌に掲載する場合、中古車の画像情報を記憶媒体から読み出して使用している。
しかしながら、中古車の画像情報を記憶した記憶媒体を紛失したり、記憶媒体中の画像情報の保存場所が分からなくなるケースが多発している。このような場合には、再度当該中古車を撮像して画像情報を取得する必要がある。また、中古社販売会社が販売している中古車の画像情報を全て管理するには、大容量のメモリが必要であり、コストがかかる。
このため、画像情報等の情報を安価に確実に管理することができる情報管理装置が要望されている。
そこで、本発明は、このような点に鑑みて創案されたものであり、本発明が解決しようとする課題は、画像情報等の情報を安価に確実に管理することができる情報管理装置を提供することである。
【００４４】
以下に、本発明を実施する最良の形態の一例につき、図１０〜図１２を参照しつつ説明する。
本実施の形態では、画像情報管理装置が管理する記憶装置に、画像情報を送信元識別情報に対応させて記憶する画像情報データベースを設け、送信者は、画像情報を送信先に送信する時には、送信元端末装置から画像情報管理装置に、送信者を示す送信者識別情報と送信先を示す送信先情報を送信するとともに、送信する画像情報が画像情報データベースに記憶されている場合には、画像情報データベースに記憶されている画像情報の中から選択した画像情報を示す画像情報識別情報を、送信する画像情報が画像情報データベースに記憶されていない場合には、送信元端末装置から画像情報を画像情報管理装置に送信し、画像情報管理装置は、送信元端末装置から受信した画像情報識別情報で示されている画像情報あるいは送信元端末装置から受信した画像情報を、送信元端末装置から受信した送信先情報で示されている送信先に送信し、また、画像情報管理装置は、送信元端末装置から画像情報を受信した場合には、受信した画像情報を送信元識別情報に対応させて画像情報データベースに記憶させる。
以下では、送信元である中古社販売会社が、当該中古社販売会社が販売している中古車の画像情報と広告文情報を含む広告情報を広告会社（例えば、中古車情報誌の発行会社、中古車情報を掲載するＷｅｂページを管理している管理会社等）に送信する場合について説明する。
【００４５】
図１０に示すように、本実施の形態の情報管理装置２には、画像情報管理装置６０、記憶装置６１、送信元端末装置７０、送信先端末装置８０が設けられている。画像情報管理装置６０、送信元端末装置７０、送信先端末装置８０等は、インターネット等の通信回線９０により接続されている。
また、図１０では、記憶装置６１を画像情報管理装置６０に接続しているが、記憶装置６１は、画像情報管理装置６０がアクセス可能に設けられていればよく、インターネット９０に接続されていてもよい。
なお、送信元端末装置７０や送信先端末装置８０として、パソコンや携帯電話機や携帯端末等の端末装置を用いる場合には、送信元端末装置及び送信先端末装置のいずれにも用いることができるが、以下では、送信元端末装置７０により広告情報の送信を行い、送信先端末装置８０により広告情報を受信するものとして説明する。
【００４６】
送信元端末装置７０は、送信元入力手段７０ａ、送信元受信手段７０ｂ、送信元送信手段７０ｃ、送信元表示手段７０ｄ、送信元処理手段７０ｅ等を備えている。
送信元入力手段７０ａは、入力キー、記憶媒体に記憶されている画像情報等を読み取る読取手段等が用いられ、画像情報の入力、画像情報の選択、広告文情報の入力、送信先情報の選択等を行う。
送信元受信手段７０ｂは、画像情報管理装置６０から送信された画像情報と当該画像情報を示す画像情報識別情報の受信、送信先情報の受信等を行う。
送信元送信手段７０ｃは、送信元受信手段７０ｂで受信した画像情報の中から選択された画像情報を示す画像情報識別情報の画像情報管理装置６０への送信、送信元入力手段７０ａにより入力された画像情報や広告文情報の画像情報管理装置６０への送信、送信元受信手段７０ｃで受信した送信先情報の中から選択された送信先情報の画像情報管理装置６０への送信等を行う。
送信元表示手段７０ｄは、送信元受信手段７０ｂで受信した画像情報や送信先情報の表示等を行う。
送信元処理手段７０ｅは、送信元受信手段７０ｂの受信処理、送信元送信手段７０ｃの送信処理、送信元表示手段７０ｄの表示処理等を管理する。
【００４７】
記憶装置６１には、画像情報データベース６１ａと送信先情報データベース６１ｂが設けられている。
画像情報データベースには、各中古社販売会社から画像情報管理装置６０に送信された中古車の画像情報と当該画像情報を示す画像情報識別情報が、当該画像情報を送信した中古社販売会社を示す送信先識別情報（例えば、会員ＩＤ）に対応させて記憶されている。
送信先情報データベースには、広告情報を送信する送信先を示す送信先情報（例えば、中古車情報誌の発行会社や中古車の広告を行っている広告会社のメールアドレス等）が記憶されている。
なお、記憶装置６１には、各中古社販売会社の情報（送信元情報）を送信元識別情報に対応させて記憶する送信元情報データベースや、各送信先の情報（送信先情報）を、送信先を示す送信先識別情報に対応させて記憶する送信先情報データベースを設けることもできる。
【００４８】
画像情報管理装置６０は、管理側受信手段６０ａ、管理側受信手段６０ｂ、管理側処理手段６０ｃ等を備えている。
管理側受信手段６０ａは、送信元端末装置７０から送信された送信元識別情報、画像情報、画像情報識別情報、送信先情報等を受信する。
管理側送信手段６０ｂは、画像情報データベース６１ａに記憶されている画像情報と画像情報識別情報の送信元端末装置７０への送信、送信先情報データベース６１ｂに記憶されている送信先情報の送信元端末装置６０への送信、画像情報識別情報で示される画像情報と広告文情報の送信先情報で示される送信先への送信等を行う。
管理側処理手段６０ｃは、管理側受信手段６０ａの受信処理、管理側送信手段６０ｃの送信処理、管理側受信手段６０ａで受信した画像情報を管理側受信手段６０ａで受信した送信元識別情報に対応させて画像情報データベース６１ａに記憶させる処理等を管理する。
【００４９】
送信先端末装置８０は、送信先受信手段８０ａ、送信先処理手段８０ｂを備えている。
送信先受信手段８０ａは、画像情報管理装置６０から送信された画像情報と広告文情報を含む広告情報を受信する。
送信先処理手段８０ｂは、送信先受信手段８０ａの受信処理、送信先受信手段８０ａで受信した広告情報の記憶手段への記憶処理や出力手段への出力処理等を管理する。
【００５０】
次に、本実施の形態の動作を説明する。
以下では、送信元である中古社販売会社が、当該中古社販売会社が販売している中古車の広告情報を中古車情報誌に掲載する場合の動作を説明する。
中古社販売会社の社員は、送信元端末装置７０（例えば、中古社販売会社に設けられているパソコン）の送信元送信手段７０ｃから、画像情報管理装置６０に接続要求信号を出力する。例えば、画像情報管理装置６０を管理している管理会社のホームページにアクセスする。
画像情報管理装置６０の管理側処理手段６０ｃは、送信元端末装置７０から送信された接続要求信号を管理側受信手段６０ａで受信すると、送信元識別情報入力画面情報を管理側送信手段６０ｂから送信元端末装置７０に送信する。
送信元端末装置７０の送信元処理手段７０ｅは、画像情報管理装置６０から送信された送信元識別情報入力画面情報を送信元受信手段７０ｂで受信すると、受信した送信元識別情報入力画面情報で示される送信元識別情報入力画面を送信元表示手段７０ｄに表示する。
中古社販売会社の係員は、送信元表示手段７０ｄに送信元識別情報入力画面が表示されている状態で、送信元入力手段７０ａを用いて送信元識別情報を入力する。
これにより、送信元処理手段７０ｅは、入力された送信元識別情報を送信元送信手段７０ｃから画像情報管理装置６０に送信する。
なお、送信元識別情報の送信タイミングは適宜設定可能である。また、送信元識別情報を予め記憶手段に記憶させておき、所定の時期に記憶手段に記憶されている送信元識別情報を送信するように構成することもできる。
【００５１】
管理側処理手段６０ｃは、管理側受信手段６０ａで送信元識別情報を受信すると、広告情報入力画面情報を管理側送信手段６０ｂから送信元端末装置７０に送信する。
送信元処理手段７０ｅは、送信元受信手段７０ｂで受信した広告情報入力画面情報で示される広告情報入力画面を送信元表示手段７０ｄに表示する。
中古社販売会社の社員は、送信元表示手段７０ｄに広告情報入力画面が表示されている状態で中古車の画像情報と広告文情報を入力する。
【００５２】
ここで、画像情報データベースに６１ａに記憶されていない中古車の画像情報を用いる場合には、送信元入力手段７０ａから中古車の画像情報を入力する。例えば、広告情報入力画面の「画像情報」部に表示されている「画像情報入力」をカーソルで指示する。そして、中古車の画像情報が記憶されている記憶媒体を読取装置に接続し、記憶媒体に記憶されている中古車の画像情報を選択する。この場合、入力された画像情報が、広告情報入力画面の「画像情報」部に表示されるように構成するのが好ましい。
また、広告情報入力画面の「広告文情報」部をカーソルで指示し、送信元入力手段７０ａを用いて広告文を入力する。
これにより、送信元処理手段７０ｅは、入力された中古車の画像情報と入力された広告文を示す広告文情報を送信元送信手段７０ｃから画像情報管理装置６０に送信する。
管理側処理手段６０ｃは、管理側受信手段６０ａで中古車の画像情報と広告文情報を受信すると、受信した中古車の画像情報を、当該画像情報を示す画像情報識別情報とともに、前記受信した送信元識別情報に対応させて、記憶装置６１の画像情報データベース６１ａに記憶させる。なお、中古車の画像情報を入力する際、車種、年式、走行距離等の関連情報も入力し、画像情報データベース６１ａに中古車の画像情報を記憶させる際に、関連情報も記憶させるのが好ましい。
【００５３】
一方、画像情報データベースに６１ａに記憶されている中古車の画像情報を用いる場合には、画像情報データベース６１ａに記憶されている中古車の画像情報を選択する。
例えば、広告情報入力画面の「画像情報」部に表示されている「画像情報選択」をカーソルで指示する。これにより、送信元処理手段７０ｅは、送信元送信手段７０ｃから画像情報管理装置６０に画像情報送信要求信号を送信する。
管理側処理手段６０ｃは、管理側受信手段６０ａが画像情報送信要求信号を受信すると、記憶装置６１の画像情報データベース６１ａに、前記受信した送信元識別情報に対応させて記憶されている中古車の画像情報と画像情報識別情報を読み出し、読み出した中古車の画像情報と画像情報識別情報を管理側送信手段６０ｂから、画像情報送信要求信号を送信した送信元端末装置７０に送信する。
送信元処理手段７０ｅは、送信元受信手段７０ｂで中古車の画像情報と画像情報識別情報を受信すると、受信した中古車の画像情報を送信元表示手段７０ｄに表示する。中古車情報の画像情報の送信元表示手段７０ｄでの表示方法は適宜設定することができる。
中古社販売会社の社員は、送信元表示手段７０ｄに表示される中古車の画像情報の中から今回広告情報を掲載する中古車の画像情報を選択する。例えば、図１１に示すような、受信した中古車の画像情報とチェックボックスが表示された画像情報選択画面９００を送信元表示手段７０ｄに表示する。そして、中古社販売会社の社員は、所定の中古車の画像情報に対応するチェックボックスにチェックマークを入力する。このとき、送信元表示手段７０ｄに、中古車の画像情報とともに関連情報を表示することにより、中古社販売会社の社員は、所定の中古車の画像情報を容易に選択することができる。
また、広告情報入力画面の「広告文情報」部をカーソルで指示し、送信元入力手段を用いて広告文を入力する。
これにより、送信元処理手段７０ｅは、選択された中古車の画像情報を示す画像情報識別情報と入力された広告文を示す広告文情報を送信元送信手段７０ｃから画像情報管理装置６０に送信する。
【００５４】
以上により、中古車情報誌に掲載する中古車の画像情報と広告文情報が入力されると、管理側処理手段６０ｃは、記憶装置６１の送信先情報データベース６１ｂに記憶されている送信先情報を読み出し、読み出した送信先情報を管理側送信手段６０ｂから送信元端末装置７０に送信する。
送信元処理手段７０ｅは、送信元受信手段７０ｂが送信元情報を受信すると、受信した送信元情報を送信元表示手段７０ｄに表示する。
中古社販売会社の社員は、送信元表示手段７０ｄに表示されている送信先情報を選択する。例えば、図１２に示すような、送信元情報とチェックボックスが表示されている送信先選択画面９５０を送信元表示手段７０ｄに表示する。中古社販売会社の社員は、所定の送信先情報に対応するチェックボックスにチェックマークを入力する。この場合、広告情報を中古車情報誌に掲載するため、社員は、出版社に対応するチェックボックスにチェックマークを入力する。
これにより、送信元処理手段７０ｅは、選択された送信先情報を送信元送信手段７０ｃから画像情報管理装置６０に送信する。
【００５５】
管理側処理手段６０ｃは、送信元端末装置７０に入力された中古車の画像情報あるいは送信元端末装置７０で選択された中古車の画像情報と、送信元端末装置７０で入力された広告文情報を、送信元端末装置７０で選択された送信先情報で示される送信先（例えば、出版社に設けられている送信先端末装置８０のメールアドレス）に送信する。
すなわち、送信元端末装置７０から送信された中古車の画像情報を受信した場合には、受信した中古車の画像情報を送信する。一方、送信元端末装置７０から送信された画像情報識別情報を受信した場合には、受信した画像情報識別情報に対応する中古車の画像情報を記憶装置６１の画像情報データベース６１ａから読み出し、読み出した中古車の画像情報を送信する。
送信先端末装置８０の送信先処理手段８０ｂは、送信先受信手段８０ａで受信した広告情報（中古車の画像情報と広告文情報）を記憶手段に記憶し、また表示手段や印刷手段から出力させる。
これにより、送信先、例えば、中古車情報誌の出版社は、送信先端末装置８０で受信した広告情報に基づいて、中古車情報誌に掲載する広告情報を作成する。
【００５６】
本実施の形態では、送信者が、送信元端末装置から画像情報管理装置に画像情報を送信すると、画像情報管理装置が管理している記憶装置の画像情報データベースに記憶され、以後は、画像情報データベースに記憶されている画像情報を用いることができる。このため、画像情報を記憶するための大容量の記憶装置が不要であり、安価に画像情報を管理することができる。また、画像情報を記憶している記憶装置の管理や画像情報の記憶位置の管理等が不要であるため、画像情報の管理が容易である。
【００５７】
なお、以上の実施の形態では、広告文を送信元端末装置で入力したが、最初に送信元端末装置に画像情報を入力する時に広告文情報も入力し、画像情報と広告文情報を画像情報データベースに記憶させてもよい。この場合には、広告文を入力する作業が１回で済む。
また、送信元端末装置から画像情報管理装置に、選択された画像情報を示す画像情報識別情報を送信したが、選択された画像情報を画像情報管理装置に送信してもよい。この場合、画像情報管理装置は、受信した画像情報を送信する。
また、記憶装置の送信先情報データベースに記憶されている送信先情報を送信元端末装置に送信し、送信元端末装置で選択された送信先情報で示される送信先に画像情報を送信したが、送信元端末装置で入力された送信先情報で示される送信先に画像情報を送信してもよい。
また、画像情報に車種や年式等の関連情報を記憶させている場合には、画像情報データベースから画像情報を読み出す際に、関連情報を用いることによって読み出す画像情報を絞り込む方法を用いることもできる。この場合には、画像管理装置から送信元端末装置に送信する画像情報を減少させることができ、画像情報管理装置の処理負担を軽減することができる。
また、中古車情報の画像情報を管理する場合について説明したが、本発明は、中古車情報の画像情報以外の種々の画像情報を管理する場合に適用することができる。
【００５８】
本発明は、以下の情報管理装置として構成することができる。
「（態様５）送信元端末装置と、画像情報管理装置と、記憶装置とを備え、
前記記憶装置は、画像情報を、送信元を示す送信元識別情報に対応させて記憶する画像情報データベースを有し、
前記送信元端末装置は、
送信元入力手段と、
送信元送信手段と、
送信元受信手段と、
送信元表示手段と、
前記送信元入力手段で入力された送信元識別情報、画像情報を前記送信元送信手段から前記画像情報管理装置に送信し、前記送信元受信手段で受信した画像情報を前記送信元表示手段に表示し、前記送信元入力手段により選択された画像情報を示す画像情報識別情報を前記送信元送信手段から前記画像情報管理手段に送信し、前記送信元入力手段から入力された送信先情報を前記送信元送信手段から前記画像情報管理装置に送信する送信元処理手段を有し、
前記画像情報管理装置は、
管理側受信手段と、
管理側送信手段と、
前記管理側受信手段で受信した画像情報を前記記憶装置の画像情報データベースに記憶させ、前記管理側受信手段で受信した画像情報を前記管理側受信手段で受信した送信先情報で示される送信先に前記管理側送信手段から送信し、前記画像側受信手段で受信した画像情報を前記画像側表示手段に表示し、前記管理側受信手段で受信した画像情報識別情報で示される画像情報を前記記憶装置の画像情報データベースから読み出し、読み出した画像情報を、前記管理側受信手段で受信した送信先情報で示される送信先に前記管理側送信手段から送信する管理側処理手段を有する、
情報管理装置。」
「画像情報を示す画像情報識別情報」としては、画像情報管理装置が、送信元が選択した画像情報を判別することができれば種々の識別情報を用いることができる。
「送信先情報」は、画像情報管理装置から送信元端末装置に送信された送信情報の中から選択された送信先情報を用いてもよいし、送信元端末装置で入力された送信先情報を用いてもよい。
【図面の簡単な説明】
【００５９】
【図１】本発明のメール送信装置の第１の実施の形態の概略構成図である。
【図２】第1の実施の形態で用いるメール情報入力画面の一例を示す図である。
【図３】第1の実施の形態のメール受信画面の１例を示す図である。
【図４】メール受信画面の他の例を示す図である。
【図５】第２の実施の形態で用いるメール情報入力画面の一例を示す図である。
【図６】第２の実施の形態のメール受信画面の１例を示す図である。
【図７】第２の実施の形態のメール受信画面の他の例を示す図である。
【図８】第２の実施の形態のメール受信画面の他の例を示す図である。
【図９】第２の実施の形態のメール受信画面の他の例を示す図である。
【図１０】本発明の情報管理装置の一実施の形態の概略構成図である。
【図１１】画像情報選択画面の一例を示す図である。
【図１２】送信先選択画面の一例を示す図である。
【符号の説明】
【００６０】
１  メール送信装置
１０，３０，４０  端末装置
２０  メール管理装置
５０  通信回線（インターネット）
１００，４００  メール情報入力画面
２００，３００，５００，６００，７００，８００  メール受信画面
２  情報管理装置
６０  画像情報管理装置
６１  記憶装置
７０  送信元端末装置
８０  送信先端末装置
【図１】
2005339182.tif 000003
【図２】
2005339182.tif 000004
【図３】
2005339182.tif 000005
【図４】
2005339182.tif 000006
【図５】
2005339182.tif 000007
【図６】
2005339182.tif 000008
【図７】
2005339182.tif 000009
【図８】
2005339182.tif 000010
【図９】
2005339182.tif 000011
【図１０】
2005339182.tif 000012
【図１１】
2005339182.tif 000013
【図１２】
2005339182.tif 000014